(57)【要約】【課題】低コストで効率的に集塵することができる、集塵機能を有するホッパを提供すること。【解決手段】堆積されている粉粒体をトラックに積み込んだり、あるいはコンベアなどの搬送機器に乗せて搬送する、粉粒体の荷扱い時に使用するホッパ２０であって、上下が開放され、上端部の内周に沿って吸引口を有する集塵管２１が配設され、この集塵管の少なくとも１箇所に集塵装置３０に繋がる配管３２が接続可能に構成されている。【選択図】            図１
2004269234.tif 000002
【特許請求の範囲】
【請求項１】
粉粒体の荷扱い時に使用する、上下が開放されたホッパであって、上端部の内周に沿って吸引口を有する集塵管が配設され、この集塵管の少なくとも１箇所に集塵装置に繋がる配管が接続可能に構成されたことを特徴とする集塵機能を有するホッパ。
【発明の詳細な説明】
【０００１】
【発明の属する技術分野】
【０００２】
【従来の技術】
堆積されている粉粒体をトラックに積み込んだり、あるいはコンベアなどの搬送機器に乗せて搬送する、粉粒体の荷扱い時には、トラックやコンベアなどの上方に、積み込む粉粒体が周囲に飛散しないようにするためのホッパが配置されている。
【０００３】
このような粉粒体の荷扱い時には、多量の粉塵が発生するので、作業環境の悪化を防ぐための方策が検討されている。
【０００４】
例えば、特許文献１には、ダンプトラックから排出される骨材を固定設備である貯蔵設備に搬送する装置における集塵方式が開示されている。その装置においては、ダンプトラックから排出される骨材を受けてバケットエレベータへ導入するためのホッパがバケットエレベータに直結して設けられている。このホッパには、ホッパ上部の開口を覆うカバーが配設されると共に、そのカバーには集塵装置に繋がる集塵配管が接続されている。又、カバーの一方の側には、ダンプトラックの荷台の後部を進入させるための開口が設けられている。
【０００５】
この装置においては、ダンプトラックから骨材を排出してホッパに受け入れ、その骨材を順次抜き出して搬送するようになっている。骨材を排出した際に発生する粉塵はホッパのカバーに接続された集塵配管中に吸引される。
【０００６】
一方、粉粒体をトラックなどに積み込んだりする荷扱い、すなわち、移動設備に対する荷扱いが行われる施設としては、例えば、都市ごみ焼却施設がある。
【０００７】
図５は都市ごみ焼却残渣施設における従来の焼却残渣積み出し場を示す模式図である。図５において、１０は灰ピット、１１はクレーン、１２はクレーンバケット、１３はホッパである。そして、４０は積出し用トラック、５０は焼却残渣である。
【０００８】
上記焼却残渣積み出し場においては、灰ピット１０に堆積されている焼却灰や飛灰などの焼却残渣をクレーンバケット１２で掴んでホッパ１３上へ移動させ、バケット１２を開いて焼却残渣を落下させてトラック４０に積み込む作業が行われる。この際、バケット１２から大量の焼却残渣が投下され、トラック４０の上へ落下するので、多量の粉塵が発生し、周辺の環境が悪化する。
【０００９】
しかし、移動設備であるトラックなどに焼却残渣を積み込む荷扱いにおいては、現状では、建屋の換気設備などによる換気が行われている程度であり、トラック上及びホッパから発生する粉塵を直接吸引する設備は設けられていない。
【００１０】
【特許文献１】
特開平８−２６９９０９号公報
【００１１】
【発明が解決しようとする課題】
特許文献１の集塵装置は、ホッパ上部がカバーで覆われているので、例えば、都市ごみ焼却施設で焼却残渣をクレーンバケットによりトラックに積み込む際に用いるホッパのような、粉粒体を上方から受け入れるホッパには適用できない。
【００１２】
又、前述のように、クレーンバケットによりトラックなどに積み込む粉粒体の荷扱いにおいては、建屋換気設備などによる換気が行われているいるが、粉粒体のトラック積み込み時には、建屋内の特定の箇所から多量の粉塵が断続的に発生するので、建屋内全体を換気する除塵処理を行っても、あまり大きな効果は期待できない。又、建屋換気設備は大掛かりな設備であると共に、換気設備の取付けに際しては、その取り付け位置が制約されると言う問題もある。
【００１３】
本発明は、上記の問題に鑑みてなされたものであり、その目的は、低コストで効率的に集塵することができる、集塵機能を有するホッパを提供することにある。
【００１４】
【課題を解決するための手段】
上記の課題を解決するために、本発明の集塵機能を有するホッパは、粉粒体の荷扱い時に使用する、上下が開放されたホッパであって、上端部の内周に沿って吸引口を有する集塵管が配設され、この集塵管の少なくとも１箇所に集塵装置に繋がる配管が接続可能に構成されたことを特徴としている。
【００１５】
粉粒体をクレーンバケットによりトラックなどに積み込む際には、粉粒体をクレーンバケットからトラックの上へ落下させるが、クレーンバケットとトラックの間にはホッパが存在しているので、粉粒体はかなり高い位置から落下する。この際、粉粒体はホッパの側壁上に落下してからトラック上に落ちるものもあるが、粉粒体の多くはクレーンバケットから直接トラック上に落下する。このため、多量の微粉が粉塵となって舞い上がる。
【００１６】
この問題に対処し、本発明のホッパにおいては、上端部の内周に沿って吸引口を有する集塵管が配設されおり、ホッパ内の空気が上記吸引口から吸引されるので、ホッパ内に舞い上がっている粉塵が吸引されて集塵される。そして、ホッパ内の空気が吸引される際に、ホッパ内に上昇気流が発生するので、トラック上から舞い上がった粉塵も上昇気流とともに上昇してホッパ内へ入り、上記吸引口から吸引されて集塵される。このため、ホッパの周辺における粉塵が大幅に減少する。
【００１７】
このように、ホッパ内の空気を吸引するだけで、効率よく集塵することができるので、大掛かりな設備を必要としない。
【００１８】
【発明の実施の形態】
図１は本発明に係る実施の形態の一例を示す図である。図１において、１２は積み出す粉粒体を運んでくるクレーンバケット、２０は集塵機能を有するホッパ、２１はホッパ２０の上端部の内周に設けられた吸引口を有する集塵管、４０はトラック、５０は積み込まれた粉粒体である。そして、３０は集塵管２１から吸引された空気の除塵処理を行う集塵装置、３２は集塵管２１と集塵装置３０を接続する集塵配管、３１はブロワである。なお、図１おけるホッパ２０の機能については後述する。
【００１９】
ホッパ２０について説明する。図２〜図４は本発明に係るホッパの構造を示す図で、図２はホッパの平面図、図３はホッパの断面図、図４はホッパに設けられている集塵管の一部を拡大した斜視図である。
【００２０】
図２において、ホッパ２０は上下が開放されており、上端部の内周に沿って、補強材としての役割を兼ねた集塵管２１が配設されている。２２は下部開口を示す。集塵管２１の四隅の端部はフランジによる閉鎖構造になっており、取り外し可能な蓋２４により閉鎖されている。このため、この四隅のどの方向からも、管内の清掃やメンテナンスを行うことができるようになっている。又、集塵装置に繋がる集塵配管３２を四隅のどの箇所にも接続することができる。さらに、集塵装置に繋がる集塵配管３２を複数の箇所接続し、偏りのない吸引をすることもできる。又、２５は取り外し可能に設けられたジャバラであり、このジャバラ２５を有することにより、集塵配管３２のレイアウト等により、集塵配管３２を四隅のどのフランジにも接続することができようになっている。
【００２１】
図３、図４において、集塵管２１には多数の開口が設けられており、この開口が吸引口２３となっている。吸引口２３は集塵管２１の下側に設けられるが、その開口がホッパ２０の側板の傾斜に沿う方向を指向する位置に設けるのが好ましい。
【００２２】
次に、図１におけるホッパ２０の機能について説明する。クレーンバケット１２を開いてトラック５０上に粉粒体を落下させると、主としてトラック５０上から多量の粉塵が舞い上がるが、ホッパ２０の上端部の内周に設けられた集塵管２１には、下側に吸引口が設けられているので、集塵装置のブロワ３１を起動すると、図中、矢印で示すように、ホッパ２０内に上昇気流が発生し、トラック５０上の空気がホッパ２０内へ吸い込まれる。そして、トラック５０上で発生した粉塵の多くは上昇気流とともに上昇して集塵管２１の吸引口から吸引され、集塵装置３０へ送られる。このため、トラック及びホッパの周辺に浮遊する粉塵は大幅に減少する。
【００２３】
なお、図１に示す実施の形態の説明においては、クレーンバケットにより運ばれてきた粉粒体をトラックに積み込む例についてのみ記述されているが、本発明はトラックへ積み込む場合のホッパだけに適用されるものではない。上下が開放された形状のものであって、かつその直上から投下される粉粒体が滞留することなく落下するように構成されたホッパであれば、本発明を適用することができる。例えば、粉粒体を積み込むものが搬送用のコンベアであってもよい。
【００２４】
【発明の効果】
本発明のホッパにおいては、上端部の内周に沿って吸引口を有する集塵管が配設され、この集塵管に集塵装置に繋がる配管が接続可能に構成されており、上記吸引口からホッパ内の空気を吸引するだけで、ホッパ内及びその下方の粉塵を吸引することができる。このため、大掛かりな設備を備えることなく、低コストで効率よく集塵することができる。
【図面の簡単な説明】
【図１】本発明に係る実施の形態の一例を示す図である。
【図２】本発明に係る集塵機能を有するホッパを示す平面図である。
【図３】本発明に係る集塵機能を有するホッパを示す断面図である。
【図４】本発明に係る集塵機能を有するホッパに設けられている集塵管の一部を拡大した斜視図である。
【図５】都市ごみ焼却残渣施設における従来の焼却残渣積み出し場を示す模式図である。
【符号の説明】
１２  クレーンバケット
２０  集塵機能を有するホッパ
２１  集塵管
２２  下部開口
２３  吸引口
２４  集塵管の蓋
２５  ジャバラ
３０  集塵装置
３１  ブロワ
３２  集塵配管
４０  トラック
５０  粉粒体
【図１】
2004269234.tif 000003
【図２】
2004269234.tif 000004
【図３】
2004269234.tif 000005
【図４】
2004269234.tif 000006
【図５】
2004269234.tif 000007